【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
第１の種類の領域として、画像の一部の領域を取得する第１の領域取得手段と、
前記第１の種類の領域を取得した画像と同一の画像から、前記第１の領域取得手段とは別途、第２の種類の領域として前記画像の一部の領域を取得する第２の領域取得手段と、
同一の画像から取得された第１の種類の領域と第２の種類の領域との重なりの度合いを判定する判定手段と、
第１の種類の領域と第２の種類の領域を含む複数の領域の中から選択している領域を切り替える指示を受け付ける受付手段と、
前記判定手段によって所定以上の重なりが無いと判定された第１の種類の領域と第２の種類の領域については、双方の領域をそれぞれ別個の選択対象として扱い、前記受付手段で受け付けた指示の回数に応じて双方の領域を片方ずつ別々に選択し、
前記判定手段によって所定以上の重なりがあると判定された第１の種類の領域と第２の種類の領域については、双方の領域をそれぞれ別個の選択対象としては扱わず、いずれか一方の領域のみ、あるいは双方の領域を含む領域を一度の前記指示に応じて選択する選択手段と、
前記選択手段による選択を反映して前記画像を表示するよう制御する表示制御手段と
を有することを特徴とする画像表示制御装置。
【請求項２】
前記第１の種類の領域は撮像装置で前記画像を撮像する際に抽出される領域であり、
前記第２の種類の領域は前記画像を撮像する際とは異なるタイミングで抽出される領域であることを特徴とする請求項１に記載の画像表示制御装置。
【請求項３】
前記第１の種類の領域は、前記画像を撮像した際に焦点調節を行った領域、露出制御を行った領域、ホワイトバランス調整を行った領域、調光を行った領域、人物の顔が検出された領域、赤目が検出された領域、画像解析によりその他の特定の被写体が検出された領域の少なくとも１つであることを特徴とする請求項２に記載の画像表示制御装置。
【請求項４】
前記第１の種類の領域は前記画像を再生する際とは異なるタイミングで抽出される領域であり、
前記第２の種類の領域は再生装置で前記画像を再生する際に抽出される領域であることを特徴とする請求項１乃至３のいずれか１項に記載の画像表示制御装置。
【請求項５】
前記第２の種類の領域は、前記画像を再生した際に人物の顔が検出された領域、赤目が検出された領域、画像解析によりその他の特定の被写体が検出された領域の少なくとも１つであることを特徴とする請求項１乃至４のいずれか１項に記載の画像表示制御装置。
【請求項６】
前記表示制御手段は、前記第１の種類の領域と前記第２の種類の領域とを識別可能に表示することを特徴とする請求項１乃至５のいずれか１項に記載の画像表示制御装置。
【請求項７】
前記表示制御手段は、前記選択手段で選択された領域を示す枠を前記画像に重畳して表示するよう制御することを特徴とする請求項１乃至６のいずれか１項に記載の画像表示制御装置。
【請求項８】
前記表示制御手段は、前記判定手段によって重なりの度合いが高いと判定された前記第１の種類の領域と前記第２の種類の領域については、他の重なりの度合いの低い枠に対して識別可能に表示するよう制御することを特徴とする請求項７に記載の画像表示制御装置。
【請求項９】
前記選択手段は、前記判定手段によって重なりの度合いが高いと判定された前記第１の種類の領域と前記第２の種類の領域との双方の領域を含む領域を選択し、
前記表示制御手段は、前記双方の領域を含む領域を示す１つの枠を表示するよう制御することを特徴とする請求項７または８に記載の画像表示制御装置。
【請求項１０】
前記選択手段は、前記判定手段によって重なりの度合いが高いと判定された前記第１の種類の領域と前記第２の種類の領域との双方の領域を含む領域を選択し、
前記表示制御手段は、前記選択手段で選択された前記双方の領域を含む領域を切り出して表示することを特徴とする請求項１乃至９のいずれか１項に記載の画像表示制御装置。
【請求項１１】
前記選択手段は、前記判定手段によって重なりの度合いが高いと判定された前記第１の種類の領域と前記第２の種類の領域との双方の領域を同時に選択し、
前記表示制御手段は、前記選択手段で選択された前記双方の領域のそれぞれを切り出して同時に表示することを特徴とする請求項１乃至９のいずれか１項に記載の画像表示制御装置。
【請求項１２】
第１の種類の領域として、画像の一部の領域を取得する第１の領域取得ステップと、
前記第１の種類の領域を取得した画像と同一の画像から、前記第１の領域取得ステップとは別途、第２の種類の領域として前記画像の一部の領域を取得する第２の領域取得ステップと、
同一の画像から取得された第１の種類の領域と第２の種類の領域との重なりの度合いを判定する判定ステップと、
第１の種類の領域と第２の種類の領域を含む複数の領域の中から選択している領域を切り替える指示を受け付ける受付ステップと、
前記判定ステップによって所定以上の重なりが無いと判定された第１の種類の領域と第２の種類の領域については、双方の領域をそれぞれ別個の選択対象として扱い、前記受付ステップで受け付けた指示の回数に応じて双方の領域を片方ずつ別々に選択し、
前記判定ステップによって所定以上の重なりがあると判定された第１の種類の領域と第２の種類の領域については、双方の領域をそれぞれ別個の選択対象としては扱わず、いずれか一方の領域のみ、あるいは双方の領域を含む領域を一度の前記指示に応じて選択する選択ステップと、
前記選択ステップによる選択を反映して前記画像を表示するよう制御する表示制御ステップと
を有することを特徴とする画像表示制御装置の制御方法。
【請求項１３】
コンピュータを、請求項１乃至１１のいずれか１項に記載された画像表示制御装置の各手段として機能させるプログラム。
【請求項１４】
コンピュータを、請求項１乃至１１のいずれか１項に記載された画像表示制御装置の各手段として機能させるプログラムを格納した記憶媒体。
【手続補正２】
【補正対象書類名】明細書
【補正対象項目名】０００７
【補正方法】変更
【補正の内容】
【０００７】
上記目的を達成するために本発明の請求項１は、
第１の種類の領域として、画像の一部の領域を取得する第１の領域取得手段と、
前記第１の種類の領域を取得した画像と同一の画像から、前記第１の領域取得手段とは別途、第２の種類の領域として前記画像の一部の領域を取得する第２の領域取得手段と、
同一の画像から取得された第１の種類の領域と第２の種類の領域との重なりの度合いを判定する判定手段と、
第１の種類の領域と第２の種類の領域を含む複数の領域の中から選択している領域を切り替える指示を受け付ける受付手段と、
前記判定手段によって所定以上の重なりが無いと判定された第１の種類の領域と第２の種類の領域については、双方の領域をそれぞれ別個の選択対象として扱い、前記受付手段で受け付けた指示の回数に応じて双方の領域を片方ずつ別々に選択し、
前記判定手段によって所定以上の重なりがあると判定された第１の種類の領域と第２の種類の領域については、双方の領域をそれぞれ別個の選択対象としては扱わず、いずれか一方の領域のみ、あるいは双方の領域を含む領域を一度の前記指示に応じて選択する選択手段と、
前記選択手段による選択を反映して前記画像を表示するよう制御する表示制御手段と
を有することを特徴とする。
【手続補正３】
【補正対象書類名】明細書
【補正対象項目名】０００８
【補正方法】削除
【補正の内容】